【手続補正書】
【提出日】平成29年6月6日(2017.6.6)
【手続補正１】
【補正対象書類名】特許請求の範囲
【補正対象項目名】全文
【補正方法】変更
【補正の内容】
【特許請求の範囲】
【請求項１】
分離可能な電源用電磁誘導装置を製造する方法であって、
かかる方法が、
電力線を受けるための内側開口を有する磁心を形成するために、磁性材料から成る鋼板を実質的に円形形状に形成するステップを有し、前記磁性材料が、珪素鋼と同じか又はそれより低い磁気飽和特性によって特徴付けられ、
かつ、前記方法が、
磁心の巻回方向に対して実質的に直交する方向で、前記磁心を少なくとも二つの磁心部材に切断するステップと、
前記少なくとも二つの磁心部材の対応する切断面を整列するステップと
を有する
ことを特徴とする方法。
【請求項２】
前記磁性材料が、非結晶金属である
あることを特徴とする請求項１に記載の方法。
【請求項３】
前記磁性材料が合金である
ことを特徴とする請求項１又は２に記載の方法。
【請求項４】
前記磁性材料が非コバルト材料から成る
ことと特徴とする請求項１〜３の何れか一項に記載の方法。
【請求項５】
前記磁性材料が低コバルト材料から成る
ことを特徴とする請求項１〜３の何れか一項に記載の方法。
【請求項６】
低コバルト材料が珪素鋼である
ことを特徴とする請求項５に記載の方法。
【請求項７】
前記磁性材料が、さらに含浸処理される
ことを特徴とする請求項１〜６の何れか一項に記載の方法。
【請求項８】
前記含浸処理が、真空含浸処理である
ことを特徴とする請求項７に記載の方法。
【請求項９】
磁心が、さらに、熱処理を使用して処理される
ことを特徴とする請求項１〜８の何れか一項に記載の方法。
【請求項１０】
前記処理が、低い磁気飽和特性によって特徴付けられる処理材料の存在下で行われる
ことを特徴とする請求項７〜９の何れか一項に記載の方法。
【請求項１１】
前記切断面を研磨するステップを含む
ことを特徴とする請求項１〜１０の何れか一項に記載の方法。
【請求項１２】
前記研磨するステップが、前記研磨中に同時に冷却液を加えることから成る
ことを特徴とする請求項１１に記載の方法。
【請求項１３】
磁心が、磁性材料の複数の層から成る
ことを特徴とする請求項１〜１２の何れか一項に記載の方法。
【請求項１４】
複数の層の各々の間にギャップがない
ことを特徴とする請求項１３に記載の方法。
【請求項１５】
電力線を流れる一次電流に応答して磁気誘導を介して二次電流を生成する変流器を備え、
前記変流器が、電力線の一部を覆うために結合可能な、少なくとも二つの分離可能な磁心を有し、
前記磁心が、珪素鋼と同じか又はそれより低い磁気飽和特性によって特徴付けられる前記磁性材料から成り、
前記変流器が、前記二次電流を出力する
ことを特徴とする変流装置。
【請求項１６】
前記二次電流を電流電源に変換するための変換ユニットをさらに有する
ことを特徴とする請求項１５に記載の変流装置。
【請求項１７】
前記変換ユニットが、前記電流電源を、直流及び交流電流電源の一方に変換する
ことを特徴とする請求項１６に記載の変流装置。
【請求項１８】
前記磁性材料が、非結晶金属である
ことを特徴とする請求項１５〜１７の何れか一項に記載の装置。
【請求項１９】
前記磁性材料が合金である
ことを特徴とする請求項１５〜１８の何れか一項に記載の装置。
【請求項２０】
前記磁性材料が非コバルト材料から成る
ことと特徴とする請求項１５〜１９の何れか一項に記載の装置。
【請求項２１】
前記磁性材料が珪素鋼である
ことを特徴とする請求項１５〜２０の何れか一項に記載の装置。
【請求項２２】
磁心が、磁性材料の複数の層から成る
ことを特徴とする請求項１５〜２１の何れか一項に記載の装置。
【請求項２３】
複数の層の各々の間にギャップがない
ことを特徴とする請求項２２に記載の装置。
【手続補正２】
【補正対象書類名】明細書
【補正対象項目名】発明の名称
【補正方法】変更
【補正の内容】
【発明の名称】分離可能な電源用電磁誘導装置を製造する方法及び変流装置
【手続補正３】
【補正対象書類名】明細書
【補正対象項目名】０００２
【補正方法】変更
【補正の内容】
【０００２】
この背景技術に関する情報は、出願人が関連する可能性があると信じる情報を明らかにするために提供される。これらの情報の何れかが従来技術を構成することを意図するものではなく、また、そのように解釈されるべきでもない。
結合装置は、低周波信号を減衰し、高周波信号特性を改善する方向で開発が成されてきた。なぜなら一般的に電力システムで使用される結合装置は、電力周波数を遮断し、高周波帯域で通信信号だけを伝える目的のために使用されてきたからである。さらに変流器（以下ＣＴ）適用の場合、ＣＴは、特に理想的なＢ−Ｈ特性を得るために曲線を改善する方向で開発されてきた。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１４
【補正方法】変更
【補正の内容】
【００１４】
以下に、本発明の幾つかの態様の基本的な理解のために、この明細書で全体的な発明の概念の簡略化した概要を説明する。この概要は発明を詳細に総括するものではない。この概要は、発明の重要な構成要件を制限することを意図するものではなく、また、以下の詳細な説明及び特許請求の範囲によって明示的又は暗示的に開示されているものを超えて発明の範囲を説明することを意図するものでもない。
関連技術の制限を解決するため、本発明は、低い電線電流から必要な電力を発生させ且つ低い磁気飽和点を有することができる分離可能な起電誘導装置を製造する方法を提供する。
【手続補正７】
【補正対象書類名】明細書
【補正対象項目名】００１５
【補正方法】変更
【補正の内容】
【００１５】
本発明は、磁心を形成するために、圧延された非晶質磁気合金からできている鋼鈑を管状に巻くステップと、コバルトを加えずに巻かれた磁心を加熱・含侵するステップと、加熱処理され且つ含侵された磁心を磁心が巻かれた方向に対して直交する方向に切断するステップと、さらに均一に配置して固定された状態で三次元表面を有する磁心のカット面を研磨するステップとを備えている。
一つの特徴によれば、分離可能な電源用電磁誘導装置を製造する方法であって、かかる方法が、電力線を受けるための内側開口を有する磁心を形成するために、磁性材料から成る鋼板を実質的に円形形状に形成するステップを有し、前記磁性材料が、磁気飽和特性によって特徴付けられ、かつ、前記方法が、磁心の巻回方向に対して実質的に直交する方向で、前記磁心を少なくとも二つの磁心部材に切断するステップと、前記少なくとも二つの磁心部材の対応する切断面を整列するステップとを有することを特徴とする方法が提供される。
この方法の幾つかの実施例では、前記磁性材料は非結晶金属である。幾つかの実施例では、前記磁性材料は合金である。幾つかの実施例では、前記磁性材料は非コバルト材料から成る。幾つかの実施例では、前記磁性材料は低コバルト材料から成る。幾つかの実施例では、前記低コバルト材料は珪素鋼である。
この方法の幾つかの実施例では、前記磁性材料は、さらに含浸処理される。この方法の幾つかの実施例では、前記含浸処理は真空含浸処理である。
この方法の幾つかの実施例では、磁心は、さらに、熱処理を使用して処理される。この方法の幾つかの実施例では、前記処理は、低い磁気飽和特性によって特徴付けられる処理材料の存在下で行われる。
この方法の幾つかの実施例では、この方法は前記切断面を研磨するステップを含む。幾つかの実施例では、前記研磨するステップは前記研磨中に同時に冷却液を加えることから成る。
この方法の幾つかの実施例では、磁心は磁性材料の複数の層から成る。さらに、幾つかの実施例では、複数の層の各々の間にギャップがない。
別の特徴によれば、電力線を流れる一次電流に応答して磁気誘導を介して二次電流を生成する変流器を備え、前記変流器が、電力線の一部を覆うために結合可能な、少なくとも二つの分離可能な磁心を有し、前記磁心が、磁気飽和特性によって特徴付けられる前記磁性材料から成り、前記変流器が、前記二次電流を出力することを特徴とする変流装置が提供される。
幾つかの実施例では、前記変流装置は、前記二次電流を電流電源に変換するための変換ユニットをさらに有する。
幾つかの実施例では、前記変換ユニットが、前記電流電源を、直流及び交流電流電源の一方に変換する。
変流装置の幾つかの実施例では、前記磁性材料は非結晶金属である。また、幾つかの実施例では、前記磁性材料は合金である。幾つかの実施例では、前記磁性材料は非コバルト材料から成る。幾つかの実施例では、前記磁性材料は珪素鋼である。
変流装置の幾つかの実施例では、磁心は磁性材料の複数の層から成る。さらにまた、幾つかの実施例では、複数の層の各々の間にはギャップがない。